(57)【要約】【課題】空気調和機の運搬中は圧縮機の移動を規制し、空気調和機の運転中は圧縮機を確実に防振支持するものであって、製造コスト及び搬入コストの軽減を図った空気調和機における運搬中の圧縮機の支持構造を提供すること。【解決手段】本空気調和機における圧縮機の支持構造は、据付状態においては、底フレーム１０上に取り付けられた防振支持装置３０により圧縮機４を防振支持する。また、本空気調和機における圧縮機４の支持構造は、空気調和機の運搬中においては、空気調和機の梱包に使用される運搬用パレット７の上面に設けられた押上げ部５３により圧縮機４を持ち上げ、これにより防振支持装置３０を働かない状態として固定し、この固定状態を維持して圧縮機４の移動を規制する。【選択図】図４
2014213873.tif 000002
【特許請求の範囲】
【請求項１】
圧縮機（４）を支持する底フレーム（１０）と、
底フレーム（１０）上において圧縮機（４）を防振支持する防振支持装置（３０）と、
空気調和機を運搬する際にこの空気調和機を載置固定する運搬用パレット（７）とを有し、
前記運搬用パレット（７）は、防振支持装置（３０）により底フレーム（１０）上に支持された前記圧縮機（４）の底部を押し上げる押上げ部（５３）を有し、
前記底フレーム（１０）は、前記押上げ部（５３）が前記圧縮機（４）の底部を押し上げることができるように前記押上げ部（５３）を貫通させる貫通孔（５４）を有し、
前記防振支持装置（３０）は、前記圧縮機（４）が上方へ移動する場合に、前記圧縮機（４）の支持脚（４ａ）の上方への移動上限位置を規制する上方位置規制部材（３３）を有し、さらに、前記運搬用パレット（７）上に空気調和機が載置され、前記押上げ部（５３）により前記圧縮機（４）が押し上げられた場合に、前記圧縮機（４）の支持脚（４ａ）の上方への移動を前記上方位置規制部材（３３）により規制した状態を形成し、これにより運搬中の前記圧縮機（４）を固定的に支持可能とした
空気調和機における圧縮機の支持構造。
【請求項２】
前記防振支持装置（３０）は、底フレーム（１０）に立設された支持軸（３１）と、前記圧縮機（４）の支持脚（４ａ）を弾性的に支持するための防振部材（３２）とを有し、
前記支持軸（３１）は、上端にねじ部（３１ｂ）を有し、
前記防振部材（３２）は、平面上の中心部において前記支持軸（３１）を鉛直方向に挿通させることにより上下方向に伸縮可能に取り付けられ、
前記上方位置規制部材（３３）は、前記ねじ部（３１ｂ）に螺合して取りつけられたナットにより構成され、
さらに、前記防振支持装置（３０）は、前記圧縮機（４）が前記防振部材（３２）の上に載置された状態において、前記圧縮機（４）の前記支持脚（４ａ）と前記上方位置規制部材（３３）との間に、運転中の前記圧縮機（４）の上下移動を可能とする間隙（３５）が形成されている
請求項１記載の空気調和機における圧縮機の支持構造。
【請求項３】
前記運搬用パレット（７）は、木材を組み合わせて形成されたものであり、
前記押上げ部（５３）は、前記圧縮機（４）の平面上の中心部に位置する木材（５１）の上面に取り付けられている
請求項１又は２記載の空気調和機における圧縮機の支持構造。
【請求項４】
前記押上げ部（５３）は、円形の上面により前記圧縮機（４）の底面の中央部を押し上げるように形成されている
請求項３記載の空気調和機における圧縮機の支持構造。
【請求項５】
前記押上げ部（５３）は、上面が前記圧縮機（４）の底面の中央部に沿う凹形状に形成されている
請求項３記載の空気調和機における圧縮機の支持構造。
【発明の詳細な説明】
【技術分野】
【０００１】
本発明は、空気調和機における圧縮機の支持構造に関する。特に、空気調和機の運搬中における圧縮機の支持構造に関する。
【背景技術】
【０００２】
空気調和機は、一般に、圧縮機の運転振動がケーシングや配管へ伝播することによる異常振動や異音の発生を防止するために、圧縮機を防振ゴム、ばね等の弾性部材を備えた防振支持装置を介して底フレームの上に固定している。しかしながら、防振支持装置が圧縮機の運転振動の伝播を防止し得る状態のままで空気調和機を運搬すると、運搬中の振動や荷扱いにおける落下等により圧縮機が移動し、これにより圧縮機に接続されている配管や圧縮機を支持しているケーシングに大きな力が作用する恐れがある。このため、運搬中の防振支持装置の動きを規制するための対策が取られていた。
【０００３】
その一般的な例として、特許文献１に記載された空気調和機の例がある。特許文献１に記載の空気調和機では、圧縮機を支持する防振支持装置の運搬時の動きを規制するために、防振支持装置のばねを圧縮状態に固定する固定金具を使用してばねを締め付け状態に保持するようにしていた、
【先行技術文献】
【特許文献】
【０００４】
【特許文献１】特開平６−２４９４６７
【発明の概要】
【発明が解決しようとする課題】
【０００５】
ところが、特許文献１に記載の従来例のものにおいては、組立ラインの工程として固定金具取り付けの工程が必要となる、さらに、現地据付時には固定金具を取り外さなければならないなどの手間を要するなどのため、工数アップの要因となっていた。また、現地工事において、この固定金具の取り外しを忘れると、本来の意味としての圧縮機の運転振動を緩和することができなくなり、運転時の異常振動や異音の発生を防止することができなくなる。このため、取り外し忘れ防止の注意銘板や取扱説明書への記載が必要になっていた。また、空気調和機における圧縮機を取り付けている機械室の構造によっては、固定金具の取り外しが困難となるおそれもあった。
【０００６】
本発明は、このような従来技術における問題点を解決するものであって、空気調和機の運搬中は圧縮機の移動を規制し、空気調和機の運転中は圧縮機を確実に防振支持するものであって、製造コスト及び搬入コストの軽減を図った空気調和機における運搬中の圧縮機の支持構造を提供することを目的とする。
【課題を解決するための手段】
【０００７】
本発明は、かかる問題点に鑑みなされたものであって、圧縮機を支持する底フレームと、底フレーム上において圧縮機を防振支持する防振支持装置と、空気調和機を運搬する際にこの空気調和機を載置固定する運搬用パレットとを有し、前記運搬用パレットは、防振支持装置により底フレーム上に支持された圧縮機の底部を押し上げる押上げ部を有し、前記底フレームは、前記押上げ部が圧縮機の底部を押し上げることができるように前記押上げ部を貫通させる貫通孔を有し、前記防振支持装置は、圧縮機が上方に移動する場合に、圧縮機の支持脚の上方への移動位置を規制する上方位置規制部材を有し、さらに、前記運搬用パレット上に空気調和機が載置され、前記押上げ部により前記圧縮機が押し上げられた場合に、前記圧縮機の支持脚の上方への移動を前記上方位置規制部材により規制した状態を形成し、これにより運搬中の圧縮機を固定的に支持可能としたものである。
【０００８】
このような構成によれば、空気調和機が梱包されて運搬用パレットに載置された場合に、運搬用パレットに設けられた押上げ部により圧縮機が押し上げられ、防振支持装置の上方位置規制部材により圧縮機の支持脚の上方への移動が規制される。このようにして、圧縮機は、空気調和機の運搬時には必ず押上げ部と防振支持装置の上方位置規制部材とにより上下方向の移動が規制されるため、防振支持装置による防振機能を作用させない状態として固定的に支持される。また、空気調和機は、据え付けられた状態においては梱包装置から取りだされるため、運搬用パレットの押上げ部による圧縮機の押上げがなくなる。したがって、空気調和機の運転時においては、圧縮機が防振支持装置により確実に防振支持される。
【０００９】
また、このような圧縮機の支持構造の場合には、従来のものとは異なり、固定金具の取り外し忘れといった不都合な事態を完全に防止することができる。また、従来のような固定金具、取扱説明書、注意銘板などの物品が不要となることや、固定金具の取付、取外しに必要な工数を削減できることなどにより、製造コスト及び搬入コストを軽減することができる。
【００１０】
また、前記防振支持装置は、底フレームに立設された支持軸と、前記圧縮機の支持脚を弾性的に支持するための防振部材とを有し、前記支持軸は、上端にねじ部を有し、前記防振部材は、平面上の中心部において前記支持軸を鉛直方向に挿通させることにより上下方向に伸縮可能に取り付けられ、前記上方位置規制部材は、前記ねじ部に螺合して取りつけられたナットにより構成され、さらに、前記防振支持装置は、前記圧縮機が前記防振部材の上に載置された状態において、前記圧縮機の前記支持脚と前記上方位置規制部材との間に、運転中の前記圧縮機の上下移動を可能とする間隙が形成されている。
【００１１】
このような構成によれば、圧縮機の支持脚と前記上方位置規制部材との間に、運転中の圧縮機の振動を吸収可能とするための間隙が形成される。このため、圧縮機は、運転中、支持軸に貫挿されて取り付けられている防振部材により一定の範囲で上下に振動可能とされて防振支持される。
【００１２】
また、前記運搬用パレットは、木材を組み合わせて形成されたものであり、前記押上げ部は、圧縮機の平面上の中心部に位置する木材の上面に取り付けられていることが好ましい。
【００１３】
このような構成によれば、従来の木材製の運搬用パレットに対し押上げ部を追加した構造としたものとすることができるので、従来の木材製の運搬用パレットを部分的に変更して対応することができる。
【００１４】
また、前記押上げ部は、円形の上面により圧縮機の底面の中央部を押し上げるように形成されていることが好ましい。
このような構成によれば、押上げ部の上面が円形であるので、圧縮機の底面の中央部をバランス良く押し上げることができ、より確実に圧縮機の移動を防止することができる。
【００１５】
また、前記押上げ部は、上面が前記圧縮機の底面の中央部に沿う凹形状に形成されていることが好ましい。
このような構成によれば、圧縮機の底面の中央部をよりバランス良く押し上げることができるので、より確実に圧縮機の移動を防止することができる。
【発明の効果】
【００１６】
本発明に係る空気調和機における圧縮機の支持構造によれば、空気調和機を梱包することにより運搬中の圧縮機の移動が必ず規制されるとともに、空気調和機運転中は、空気調和機が梱包部材から開放されているため、圧縮機が確実に防振支持される。また、本圧縮機の支持構造によれば、固定金具を不要としたため、固定金具の外し忘れといった不都合な事態を完全に防止することができる。また、固定金具が不要となることにより、製造コスト及び搬入コストを軽減することができる。
【図面の簡単な説明】
【００１７】
【図１】本発明の実施の形態に係る圧縮機の支持構造を採用した空気調和機の斜視図である。
【図２】同空気調和機に係る摸式の平面機器配置図である。
【図３】同空気調和機における運搬用パレット及び底フレームの分解斜視図である。
【図４】同空気調和機における圧縮機の支持構造を説明する断面図である。
【図５】同圧縮機の支持構造における防振支持装置の状態図であり、空気調和機据付後の状態を示す。
【図６】同圧縮機の支持構造における防振支持装置の状態図であり、運搬中の状態を示す。
【図７】同圧縮機の支持構造における押上げ部の変形例を示す。
【発明を実施するための形態】
【００１８】
先ず、本実施の形態に係る圧縮機の支持構造を採用した空気調和機の概略構成を説明する。なお。以下の説明において前後方向、左右方向、高さ方向というときは、図１及び図３に図示した方向をいうものとする。
【００１９】
図１に示すように、本空気調和機は、分離型空気調和機における室外ユニットである。この室外ユニットは、高さ方向が水平方向の寸法より大きい縦長の箱形ケーシング１を備えている。また、この箱形ケーシング１の内部には、室外側熱交換器２、室外側熱交換器２に外気を供給する室外側ファン３、圧縮機４、アキュムレータ６などを備えている。なお、室外ユニットには、アキュムレータ６以外の冷媒回路構成部品や電装品箱などが組み込まれている。また、図１においては、空気調和機は、梱包時に使用される運搬用パレット７上に載置された状態で図示されている。このような状態は、本空気調和機の製造ラインにおける最終工程において見られる。
【００２０】
図２に示すように、箱形ケーシング１は、底フレーム１０と底フレーム１０上に取り付けられる箱形の外板２０とにより構成されている。
図３に示すように、底フレーム１０は、平面視が左右方向にやや長い長方形の皿形のものである。また、底フレーム１０は、棚状の平面部１１ａと立上壁１１ｂとを備えた周辺部１１と、周辺部１１の内周側に形成された窪み部１２とに大別される。
【００２１】
窪み部１２の中央部には、前後方向に延びるフレーム部１３が２箇所に形成されている。このフレーム部１３は、窪み部１２を形成する板材を上方に部分的に隆起するようにプレス加工されたものであって、圧縮機４の支持部を形成している。また、このフレーム部１３には、後述する防振支持装置を取り付けるための取付孔１３ａが３個形成されている。
【００２２】
図４に示すように、外板２０は、下部において底フレーム１０の周辺に形成された立上壁１１ｂを利用して底フレーム１０に固定されている。
図２に示すように、外板２０の左右側面２１，２２及び背面２３には、室外側熱交換器２に外気を取り入れるための外気吸入口２１ａ，２２ａ，２３ａが形成されている。また、図１に示すように、外板２０の天面２５には、外気を吐出すためのファン吐出口が形成され、この吐出口にはファンガード２６が取り付けられている。
【００２３】
室外側熱交換器２は、クロスフィンコイル式熱交換器であって、左右側面２１，２２及び背面２３の外気吸入口２１ａ，２２ａ，２３ａに対向するようにコの字形に形成されている。
【００２４】
図１に示すように、室外側ファン３は、プロペラファンであって駆動軸を上方に向けて取り付けられたモータにより駆動されるように構成されている。室外側ファン３が駆動されると、外気が白抜き矢印のように流れる。すなわち、外気吸入口２１ａ，２２ａ，２３ａから吸入された外気は、室外側熱交換器２を通過して室外側ファン３に吸入され、ファンガード２６の部分から上方に向けて排気される。
【００２５】
図２に示すように、圧縮機４は、下方周辺部における３箇所に径方向外側に突出する支持脚４ａが設けられている。
そして、図４に示すように、この圧縮機４は、運転中に防振支持するために、支持脚４ａが防振支持装置３０を介して底フレーム１０上に支持される。
【００２６】
図５に示すように、防振支持装置３０は、従来公知のものであり、底フレーム１０のフレーム部１３に立設される支持軸３１と、この支持軸３１に取り付けられる防振部材３２と、圧縮機４の支持脚４ａの上方への移動上限位置を規制する上方位置規制部材３３と、支持軸３１を底フレームに固定するための下方の座付きナット３４とを有する。
【００２７】
支持軸３１は、断面円形の棒状部材であって下方の端部にねじ部３１ａが形成され、上方の端部にねじ部３１ｂが形成されている。下方のねじ部３１ａは、底フレーム１０のフレーム部１３に形成された取付孔１３ａから下方に突出するように取り付けられ、上方のねじ部３１ｂは、圧縮機４の支持脚４ａの上方に突出している。
【００２８】
防振部材３２は、下方防振ゴム３２１と、上方防振ゴム３２２と、防振ばねを成すコイルスプリング３２３とにより構成されている。
下方防振ゴム３２１は、全体の大半を成す上部が略円筒状の円筒部分３２１ａであり、この円筒部分３２１ａの下方に、下面が底フレーム１０のフレーム部１３の上面に当接するとともに、上面でコイルスプリング３２３の下端を支持する鍔部３２１ｂを備えている。
【００２９】
また、上方防振ゴム３２２は、全体の大半を成す下部が略円筒状の円筒部分３２２ａであり、その上方に鍔部３２２ｂがあり、さらにその上方に圧縮機４の支持脚４ａに形成された取付孔４ｂに係合される円環溝状の係止部３２２ｃが形成されている。この鍔部３２２ｂは、上面が圧縮機４の支持脚４ａの下面に当接し、下面がコイルスプリング３２３の上端を支持するように形成されている。
【００３０】
コイルスプリング３２３は、下方内周側に下方防振ゴム３２１の円筒部分３２１ａが挿入され、上方内周側に上方防振ゴム３２２の円筒部分３２２ａが挿入される。そして、下方防振ゴム３２１の上面と上方防振ゴム３２２の下面との間に適宜の間隔を形成することにより、下方防振ゴム３２１と上方防振ゴム３２２とを弾性的に連結している。このような防振部材３２により支持脚４ａを介して圧縮機４を支持することにより、圧縮機４を防振支持することを可能としている。
【００３１】
上方位置規制部材３３は、座付きナットにより構成されている。圧縮機４が防振部材３２に載置されて、防振部材３２が圧縮機４の重量を受けて撓んだ状態において、上方位置規制部材３３は、上方防振ゴム３２２の上面との間に所定の寸法Ｓの間隙３５を形成するように、支持軸３１の上方のねじ部３１ｂに取り付けられている。これにより防振部材３２により支持されている圧縮機４は、下方へは下方防振ゴム３２１と上方防振ゴム３２２とが当接する状態に収縮するまで移動可能である。また、防振部材３２により支持されている圧縮機４は、上方防振ゴム３２２の上面が上方位置規制部材３３としての座付きナットの下面に当接する状態に伸張するまで移動可能である。
【００３２】
座付きナット３４は、支持軸３１の下端をフレーム部１３に固定するための締結部材である。この座付きナット３４は、上方位置規制部材３３としての座付きナットと同一のものが使用されている。
【００３３】
次に、本実施の形態における特徴を成す運搬中の空気調和機における圧縮機の固定構造について説明する。
本圧縮機の支持構造は、運搬中の空気調和機においては、防振支持装置３０の防振機能を不作用とし、圧縮機４の移動を規制している。このために、梱包部材の一部を成す運搬用パレット７上に空気調和機を載置固定した状態においては、防振支持装置３０により支持される圧縮機４の支持脚４ａが上方位置規制部材３３に当接する状態となるように圧縮機４を持ち上げる機構を備えている。
【００３４】
この圧縮機４を持ち上げる機構は、運搬用パレット７と底フレーム１０とにおいて構成されている。
図４に示すように、運搬用パレット７は、木材製角材を組み合わせて形成されている。具体的には、前後方向に所定の間隔をおいて左右方向に延びる３本の木材製角材５１が並べられている。そしてこれら木材製角材５１の上面の、左右の両端位置に前後方向に延びる木材製角材５２がそれぞれ配置され、これら木材製角材５１．５２が一体となるように適宜の方法により連結され組み立てられている。
【００３５】
このように構成された運搬用パレット７は、上記構造の点においては従来公知のものと同一であり、左右に配置された木材製角材５２により底フレーム１０の左右の平面部１１ａを支持することにより空気調和機を支持する。
【００３６】
ところで、本実施の形態に係る運搬用パレット７は、左右方向に延びる３本の木材製角材５１のうちの中間位置に配置された木材製角材５１を圧縮機４の鉛直方向に延びる中心軸の下方部を通過するように配置している。また、この木材製角材５１における圧縮機４の底面の中心軸部位に当接して圧縮機４を押し上げる押上げ部５３が形成されている。
【００３７】
この押上げ部５３の形状は、平断面が円形、上面が円形の平面である円柱部材であり、その中心位置を圧縮機４の底面の中心位置に一致させている。
押上げ部５３の大きさは、梱包部材の一部を成す運搬用パレット７上に空気調和機を載置固定した状態において、防振支持装置３０により支持される圧縮機４の３個の支持脚４ａがそれぞれ上方位置規制部材３３に当接する状態を形成することに都合のよい寸法とされている。したがって、押上げ部５３の高さは、この構造から計算される寸法とすることが必要である。押上げ部５３の断面積は、圧縮機４をバランスよく押し上げること、取り付けの容易性、押上げ部５３の強度などを加味して適宜に設定されている。
【００３８】
押上げ部５３の材料は、圧縮機４のケーシングの底面に接触して圧縮機４を押し上げるものであるため、圧縮機４のケーシングの硬度よりやわらかい硬度の材料からなるものとすることにより、圧縮機４のケーシングを傷つけないようにしている。この実施の形態においては、運搬用パレット７が木材製角材を主材料としているので、運搬用パレット７の主材料と同一の木材により形成されている。したがって、この場合には製作技術の一貫性を維持することができる点で好ましいと考えられる。
【００３９】
また、上記のように、押上げ部５３をして圧縮機４の底面に当接させて圧縮機４を押し上げ可能とするために、押上げ部５３が底フレーム１０を貫通して移動可能とすることが必要となる。そこで、図３及び図４に示すように、本実施の形態においては底フレーム１０に押上げ部５３を上下移動可能に貫通させるための貫通孔５４が設けられている。
【００４０】
次に、以上のように構成された圧縮機の支持構造の作用について説明する。
空気調和機は、製造ラインにおいては、当初は運搬用パレット７に載置されない状態で組み立てが行われる。図５に示すように、この場合においては、防振支持装置３０は、上方位置規制部材３３としての座付きナットの下面と上方防振ゴム３２２の上面との間に所定の寸法Ｓの間隙３５を形成するように圧縮機４が取り付けられる。したがって、この状態では、圧縮機４は上下移動可能の状態である。
【００４１】
次に、製造ラインの最終工程においては、空気調和機は運搬用パレット７の上に載置固定された状態とされる。この状態においては、図４に示すように、圧縮機４は押上げ部５３により上方に持ち上げられる。このため、図６に示すように、上方防振ゴム３２２の上面が上方位置規制部材３３としての座付きナットの下面に当接する状態となるように、防振部材３２が伸張される。この状態となると、圧縮機４の３個の支持脚４ａが全て上方位置規制部材３３としての座付きナットの下面に当接するため、これ以上は上方へ移動することができなくなる。また、圧縮機４の底部の中心位置において押上げ部５３により上方に押し上げられている。したがって、３個の支持脚４ａが防振支持装置３０により規制される上限位置にて固定された状態となる。
【００４２】
このように固定された状態で圧縮機４を運搬する場合には、従来のような固定金具を取り付けることなく圧縮機４の上下方向及び水平方向への移動が規制される。したがって、空気調和機の運搬中に空気調和機に衝撃が加えられたとしても圧縮機４の移動が回避されるので、圧縮機４に接続されている配管に支障をきたす恐れがない。また、空気調和機は、据付現地において据え付けられる場合に梱包部材から取り出される。こうなると押上げ部５３の形成されていた運搬用パレット７が底フレーム１０から取り外されることになるので、圧縮機４は、防振支持装置３０において運転状態の位置で支持される。
【００４３】
すなわち、図５に示すように、圧縮機４は、上方位置規制部材３３としての座付きナットと上方防振ゴム３２２の上面との間に所定の寸法Ｓの間隙３５を形成するように支持される。したがって、圧縮機４は、運転中の振動に対し下方へは、コイルスプリング３２３の収縮により下方防振ゴム３２１と上方防振ゴム３２２とが当接する状態位置まで移動可能となる。また、圧縮機４は、運転中の振動に対し上方へは、コイルスプリング３２３の伸張により上方防振ゴム３２２の上面が上方位置規制部材３３としての座付きナットの下面に当接する状態位置まで移動可能となる。このように圧縮機は、運転中の振動に対し必ず防振された状態で支持される。
【００４４】
本実施の形態に係る送風機の支持構造は、以上のように構成されているので、次のような効果を奏することができる。
（１）圧縮機４は、空気調和機の運搬時には、押上げ部５３と防振支持装置３０の上方位置規制部材３３とにより上下方向への移動が規制され、防振支持装置３０による防振機能を作用させない状態として固定的に支持される。また、圧縮機４は、空気調和機が据え付けられた状態においては、運搬用パレット７の押上げ部５３による圧縮機４の押上げがなくなるため、防振支持装置３０により確実に防振支持される。
【００４５】
（２）本圧縮機の支持構造は、従来のものとは異なり、固定金具の取り外し忘れといった不都合な事態を完全に防止することができる。また、従来のような固定金具、取扱説明書、注意銘板などの物品が不要となることや、固定金具の取付、取外しに必要な工数を削減できることなどにより、製造コスト及び搬入コストを軽減することができる。
【００４６】
（３）本圧縮機の支持構造によれば、圧縮機４の支持脚４ａと前記上方位置規制部材３３との間に、運転中の圧縮機４の振動を吸収可能とするための間隙３５が形成されている。このため、圧縮機４は、運転中、支持軸３１に挿通されて取り付けられている防振部材３２により一定の範囲で上下に振動可能とされて防振支持される。
【００４７】
（４）運搬用パレット７は、木材を組み合わせて形成されたものであり、押上げ部５３が圧縮機４の平面上の中心部に位置する木材の上面に取り付けられているので、従来の木材製の運搬用パレット７を部分的に変更することにより対応することができる。
【００４８】
（５）押上げ部は、円形の上面により圧縮機４の底面の中央部を押し上げるように形成されているので、圧縮機４の底面の中央部をバランス良く押し上げることができ、より確実に圧縮機４の移動を防止することができる。
【００４９】
（６）また、押上げ部５３は、圧縮機４のケーシングの硬度より小さい硬度の材料（この実施の形態においては木材）により形成されているので、空気調和機の運搬中の振動や荷扱いにおける落下等による圧縮機４への衝撃を緩和することができる。
【００５０】
（７）押上げ部５３は、運搬用パレット７を構成する木材と同一の木材により形成されているので、元々木材により形成されている従来の運搬用パレット７を容易に部分変更することができる。
【００５１】
（変形例）
本圧縮機の支持構造は、上記各実施形態に限定されることなく、以下の変更も可能である。この場合、以下の変形例は他の変形例と適宜組み合わせて実施することもできる。
【００５２】
・図３に示すように、押上げ部５３は、先の実施の形態においては上面が平面に形成されていたが、図７に示すように圧縮機４の底面の曲面に沿う形状としてもよい。このような構成にすれば、圧縮機４の底面の中央部を安定的にバランスよく押し上げることができる。したがって、より確実に圧縮機４の運搬中の移動を防止することができる。
【００５３】
・押上げ部５３は、先の実施の形態においては運搬用パレット７の主要材料を成す木材と同一の木材を使用していたが、これに代えて強度が大きく、加工性の良好な樹脂などの材料を用いるようにしてもよい。
【００５４】
・防振部材３２は、先の実施の形態においては、下方防振ゴム３２１と、上方防振ゴム３２２と、防振ばねを成すコイルスプリング３２３とにより構成されているが、このような構造に限定されるものではなく、公知の種々の構造の防振部材を用いてもよい。
【００５５】
・上方位置規制部材３３は、先の実施の形態においては支持軸３１の上端に形成されたねじ部３１ｂに螺合された座付きナットであったが、座を付属していないナットとしてもよい。また、上方位置規制部材３３は、支持軸３１に固定されずに底フレーム１０等に別個に固定されている規制部材としてもよい。
【００５６】
・支持軸３１は、支持軸３１の下方のねじ部３１ａに固定されている座付きナット３４により、取付孔１３ａから上方へ抜けることのないように構成されていた。しかしながらこのような構成に代えて、支持軸３１の上方への抜けを防止する頭部が支持軸３１の下端に一体的に形成されたものとしてもよい。
【００５７】
・空気調和機は、先の実施の形態においては分離型空気調和機における室外ユニットとしていたが、圧縮機、室外側熱交換器、室内側熱交換器などを一つのケーシング内に収納した一体型空気調和機に適用してもよい。
【符号の説明】
【００５８】
４…圧縮機、４ａ…支持脚、７…運搬用パレット、１０…底フレーム、３０…防振支持装置、３１…支持軸、３１ｂ…ねじ部、３２…防振部材、３３…上方位置規制部材、３５…間隙、５１…木材、５３…押上げ部、５４…貫通孔。
【図１】
2014213873.tif 000003
【図２】
2014213873.tif 000004
【図３】
2014213873.tif 000005
【図４】
2014213873.tif 000006
【図５】
2014213873.tif 000007
【図６】
2014213873.tif 000008
【図７】
2014213873.tif 000009